(57)【要約】【課題】換気口用スリーブ管においてジョイントパイプを用いることなく断熱材の厚さの変化や壁ふかしに対応できるようにする。【解決手段】スリーブ支持フランジ１０は、円筒状のスリーブ部材２の外周に嵌められ、スリーブ部材２と組み合わせることで、建物の外壁に形成された貫通穴に挿入される換気口用スリーブ管３を構成するものである。スリーブ支持フランジ１０は、スリーブ部材２を嵌合させるための円形開口１２ａを有し円形開口１２ａに嵌合するスリーブ部材２の軸心に対して直角に突出するフランジ部１２を備える。スリーブ支持フランジ１０は、さらに、円形開口１２ａの周縁から突出してスリーブ部材２を受けるフランジ支持部１４と、スリーブ部材２を安定させるためのスリーブ安定手段１６を備える。【選択図】図４
2010261650.tif 000002
【特許請求の範囲】
【請求項１】
円筒状のスリーブ部材の外周に嵌められ、該スリーブ部材と組み合わせることで、建物の外壁に形成された貫通穴に挿入される換気口用スリーブ管を構成するスリーブ支持フランジであって、
前記スリーブ部材を嵌合させるための円形開口を有し該円形開口に嵌合する前記スリーブ部材の軸心に対して直角に突出するフランジ部を備える、ことを特徴とするスリーブ支持フランジ。
【請求項２】
さらに、前記フランジ部の円形開口の周縁から直角方向に突出するとともに周縁に沿って３６０度未満の第１範囲で周方向に延びる、前記スリーブ部材を支持するためのスリーブ支持部と、
前記円形開口の周縁のうち前記第１範囲以外の範囲の一部である第２範囲に設けられ、前記円形開口に嵌合する前記スリーブ部材の外周に当接して該スリーブ部材を前記スリーブ支持部に押し付けるためのスリーブ安定手段と、を備え、
前記円形開口において、前記第１範囲以外の範囲の半径は、前記スリーブ支持部の内周面の半径よりも大きい、請求項１記載のスリーブ支持フランジ。
【請求項３】
前記安定手段は、前記周縁に沿って延び、前記周縁から前記スリーブ支持部と同じ方向に突出する突出片であり、
前記突出片の内周面の最小径部分を円弧とする円の半径は、前記円形開口の第１範囲の半径と同じか、それよりも小さい、請求項２記載のスリーブ支持フランジ。
【請求項４】
前記スリーブ支持部は、円形開口の周縁の少なくとも下半分全体を含む範囲で周方向に切れ目なく形成されている。
【発明の詳細な説明】
【技術分野】
【０００１】
本発明は、外壁を通して屋内外の空気を入れ替えるために用いられる換気口用スリーブ管の一部を構成するスリーブ支持フランジに関する。
【背景技術】
【０００２】
従来、外壁を通して屋内外の空気を入れ替えるための換気装置が知られている。図１は、下記特許文献１に開示された従来の換気装置の概略構成を示す断面図である。図１において、例えばＡＬＣ（軽量気泡コンクリート）等からなる外壁３１に形成された貫通穴３１ａに、換気口用スリーブ管３２が挿入され外壁３１に固定されている。外壁３１の屋内側には断熱材３３、内装ボード３４及びクロス３５が設けられている。換気用スリーブ管３２の屋外側の端部には、換気ガラリ３６が取り付けられている。換気用スリーブ管３２の屋内側の端部には、換気レジスタ３７が取り付けられている。
【０００３】
図２は、換気用スリーブ管３２の斜視図である。換気用スリーブ管３２は、円筒状の本体部（スリーブ部材）３３と、本体部３３の外周から突出するフランジ部３４とが一体成型されたものである。このフランジ部３４には貫通部３４ａが設けられており、施工の際には、貫通部３４ａに釘やネジなどを通してフランジ部３４を外壁３１に固定するようになっている。
【先行技術文献】
【特許文献】
【０００４】
【特許文献１】特開２００５−３３０６５３号公報
【発明の概要】
【発明が解決しようとする課題】
【０００５】
上述のように従来の換気口用スリーブ管３２は、本体部３３とフランジ部３４が一体に形成されているので、断熱材３３の厚さの変化や壁ふかしに対応するためには、換気口用スリーブ管３２と換気レジスタ３７との間に、長さ調整のためのジョイントパイプを配置する必要があり、コストが増大する。また、予め換気レジスタ３７が接続される側の本体部３３を長く製作しておき、断熱材の厚さや壁ふかしに応じて切断して短くすることも考えられるが、切断片の分、無駄が生じる。
【０００６】
本発明は、上記の問題に鑑みてなされたものであり、換気口用スリーブ管においてジョイントパイプを用いることなく断熱材の厚さの変化や壁ふかしに対応できるようにすることを課題とする。
【課題を解決するための手段】
【０００７】
上記の問題を解決するため、本発明のスリーブ支持フランジは、円筒状のスリーブ部材の外周に嵌められ、該スリーブ部材と組み合わせることで、建物の外壁に形成された貫通穴に挿入される換気口用スリーブ管を構成するスリーブ支持フランジであって、前記スリーブ部材を嵌合させるための円形開口を有し該円形開口に嵌合する前記スリーブ部材の軸心に対して直角に突出するフランジ部を備える、ことを特徴とする。
【０００８】
上記の本発明のスリーブ支持フランジは、スリーブ部材とは別部品となっており、施工の際にスリーブ支持フランジにスリーブ部材を嵌める構成となっている。このため、断熱材の厚さや壁ふかしに合わせて、適切な長さのスリーブ部材を選択すればよいので、汎用性が高い。この場合、スリーブ部材は単純に円筒形のパイプでよいので、長い円筒型パイプから切り出すことで、所望の長さのスリーブ部材を簡単に用意できる。また、所望の長さのスリーブ部材を選択できるので、従来のようなジョイントパイプを不要にできる。また、構成も簡単であり、安価に製作することができる。
【０００９】
上記のスリーブ支持フランジにおいて、さらに、前記フランジ部の円形開口の周縁から直角方向に突出するとともに周縁に沿って３６０度未満の第１範囲で周方向に延びる、前記スリーブ部材を支持するためのスリーブ支持部と、前記円形開口の周縁のうち前記第１範囲以外の範囲の一部である第２範囲に設けられ、前記円形開口に嵌合する前記スリーブ部材の外周に当接して該スリーブ部材を前記スリーブ支持部に押し付けるためのスリーブ安定手段と、を備え、前記円形開口において、前記第１範囲以外の範囲の半径は、前記スリーブ支持部の内周面の半径よりも大きい。
【００１０】
上記の構成によれば、スリーブ支持部がスリーブ部材をしっかりと支持し、スリーブ安定手段がスリーブ部材の外周に当接してスリーブ部材をスリーブ支持部に押し付けるので、スリーブ部材がぐらつかず、安定して支持することができる。
また、スリーブ支持部がない部分の円形開口の半径が大きくなっているので、スリーブ部材をスリーブ支持部に嵌めるときに、円形開口の周縁において半径の大きい部分とスリーブ部材とが接触しない。このため、スリーブ部材を簡単に嵌めることができる。
【００１１】
上記のスリーブ支持フランジにおいて、上記のスリーブ支持フランジにおいて、前記安定手段は、前記周縁に沿って延び、前記周縁から前記スリーブ支持部と同じ方向に突出する突出片であり、前記突出片の内周面の最小径部分を円弧とする円の半径は、前記円形開口の第１範囲の半径と同じか、それよりも小さい。
【００１２】
上記の構成によれば、突出片の内周面の最小径部分を円弧とする円の半径が、円形開口の第１範囲の半径と同じか、それよりも小さいので、スリーブ部材をスリーブ支持部に嵌めるときに、突出片は半径方向に弾性変形しつつスリーブ部材をスリーブ支持部に押し付ける。したがって、スリーブ部材を、スリーブ支持部と突出片とによって安定して支持できる。
【００１３】
上記のスリーブ支持フランジにおいて、前記スリーブ支持部は、円形開口の周縁の少なくとも下半分全体を含む範囲で周方向に切れ目なく形成されている。
【００１４】
上記の構成によれば、スリーブ支持部により、少なくとも１８０度以上の範囲でスリーブ部材を下部から支持できるので、より安定してスリーブ部材を支持できる。
また、スリーブ支持フランジにスリーブ部材を嵌めた状態では、スリーブ部材の外周の少なくとも下半分の範囲とスリーブ支持部が接触し、隙間がほとんどできないので、フランジ部よりも屋外側でスリーブ部材と外壁の貫通部の間に水が浸入してきた場合でも、フランジ部よりも屋内側への水の浸入を阻止できる。
【発明の効果】
【００１５】
本発明のスリーブ支持フランジによれば、ジョイントパイプを用いることなく断熱材の厚さの変化や壁ふかしに対応できるという優れた効果が得られる。
【図面の簡単な説明】
【００１６】
【図１】特許文献１に開示された従来の換気装置を示す概略構成図である。
【図２】特許文献１に開示された従来の換気用スリーブ管の斜視図である。
【図３】本発明に係るスリーブ支持フランジの第１実施形態の使用状態を示す断面図である。
【図４】本発明に係るスリーブ支持フランジの第１実施形態の斜視図である。
【図５】本発明に係るスリーブ支持フランジの第１実施形態の正面図である。
【図６】本発明に係るスリーブ支持フランジの第１実施形態の、スリーブ部材を嵌めた状態の側面断面図である。
【図７】本発明に係るスリーブ支持フランジの第１実施形態の変形例の、スリーブ部材を嵌めた状態の側面断面図である。
【図８】本発明に係るスリーブ支持フランジの第２実施形態の正面図である。
【図９】本発明に係るスリーブ支持フランジの第２実施形態の、スリーブ部材を嵌めた状態の側面断面図である。
【発明を実施するための形態】
【００１７】
以下、本発明の好ましい実施形態を添付図面に基づいて詳細に説明する。なお、各図において共通する部分には同一の符号を付し、重複した説明を省略する。
【００１８】
図３は、本発明に係るスリーブ支持フランジ１０の第１実施形態の使用状態を示す断面図である。図３において、右側が屋外であり、左側が屋内である。このスリーブ支持フランジ１０は、円筒状のスリーブ部材２の外周に嵌められ、このスリーブ部材２と組み合わせることで、建物の外壁１に形成された貫通穴１ａに挿入される換気口用スリーブ管３を構成するものである。
【００１９】
図３において、例えばＡＬＣ（軽量気泡コンクリート）等からなる外壁１に形成された貫通穴１ａに換気口用スリーブ管３が挿入されることで、換気口用スリーブ管３外壁１に固定されている。外壁１の屋内側には断熱材６が設けられ、この断熱材６から隙間を空けて内装ボード７が設けられ、内装ボード７にクロス８が貼られている。つまり、図３に示す壁構造では、屋内側の壁がふかされている。換気口用スリーブ管３の屋外側の端部には、換気ガラリ４が取り付けられている。換気口用スリーブ管３の屋内側の端部には、換気レジスタ５が取り付けられている。これにより、外壁１を通して屋内外の空気を入れ替えるため換気装置が構成されている。
【００２０】
図４は、本発明に係るスリーブ支持フランジ１０の第１実施形態の斜視図である。図５は、スリーブ支持フランジ１０の第１実施形態の正面図である。図６は、スリーブ支持フランジ１０の第１実施形態の、フランジ部材２を嵌めた状態の側面断面図である。
【００２１】
図４〜図６に示すように、スリーブ支持フランジ１０は、スリーブ部材２の半径方向に板状に広がるフランジ部１２と、スリーブ部材２を受けるためのスリーブ支持部１４と、スリーブ部材２を安定させるためのスリーブ安定手段１６を備える。
【００２２】
フランジ部１２は、スリーブ部材２を嵌合させるための円形開口１２ａを有し、円形開口１２ａに嵌合するスリーブ部材２の軸心に対して直角に突出する部分である。
このフランジ部１２の四隅付近には、施工の際に釘やネジなどを通してフランジ部１２を外壁１（図３参照）に固定するために、貫通穴１３が設けられている。
【００２３】
スリーブ支持部１４は、フランジ部１２の円形開口１２ａの周縁から直角方向に突出するとともに周方向に延びる、スリーブ部材２を支持するための部分である。スリーブ支持部１４が存在する範囲は、円形開口１２ａの周縁に沿う３６０度未満の第１範囲Ｓ１である。すなわち、スリーブ支持部１４は、円形開口１２ａの周縁の全体ではなく、一部の範囲に設けられている。
【００２４】
第１実施形態では、スリーブ支持部１４は、円形開口１２ａの周縁の少なくとも下半分全体を含む範囲（図示例では、スリーブ支持部１４の周方向の両端が円形開口１２ａの中心よりもやや高い位置までくる範囲）で周方向に切れ目なく連続的に形成されている。円形開口１２ａにおいて、第１範囲Ｓ１以外の範囲の半径Ｒ２は、スリーブ支持部１４の内周面の半径Ｒ１よりも大きい。このため、スリーブ部材２をスリーブ支持フランジ１０に嵌めた状態では、スリーブ部材１０の外周面と、半径がＲ２の部分の円形開口１２ａの周縁との間に隙間が形成される。なおＲ２は、Ｒ１よりも数ミリメートル程度大きければよい。
【００２５】
スリーブ安定手段１６は、円形開口１２ａの周縁のうち第１範囲Ｓ１以外の範囲の一部である第２範囲Ｓ２に設けられ、円形開口１２ａに嵌合するスリーブ部材２の外周に当接して、スリーブ部材２をスリーブ支持部１４に押し付けるための部分である。
【００２６】
第１実施形態において、スリーブ安定手段１６は、円形開口１２ａの周縁に沿って延び、この周縁からスリーブ支持部１４と同じ方向に突出する突出片１６Ａである。突出片１６Ａの内周面の最小径部分を円弧とする円の半径Ｒ３は、円形開口１２ａの第１範囲Ｓ１の半径Ｒ１と同じに設定されている。なお、突出片１６Ａが半径方向外側に弾性変形してスリーブ部材２を容易に嵌めることができる限り、Ｒ３はＲ１よりも僅かに小さく設定されてもよい。図示例の突出片１６Ａは、先端部の内周面が最小径部分となっている。また図示例の突出片１６Ａは、根元から先端に向かうに従い徐々に厚さ（半径方向寸法）が薄くなるように形成されている。
【００２７】
上記のフランジ部１２、スリーブ支持部１４及びスリーブ安定手段１６は、樹脂などで一体成型することができる。また、フランジ部１２、スリーブ支持部１４及びスリーブ安定手段１６は別々に製作されたものであり、これらを結合してスリーブ支持フランジ１０としたものでもよい。また、スリーブ支持フランジ１０はスチールやアルミ合金などの金属製であってもよい。
【００２８】
次に、図３を参照し、上記のように構成されたスリーブ支持フランジ１０を含む換気装置を建物の外壁１に施工する手順を説明する。
まず、建物の外壁１の屋内側に、貫通穴１ａの位置に合わせてスリーブ支持フランジ１０を釘やネジなどで固定する。次に、断熱材６の厚さや壁ふかしに合わせて長さが選択されたスリーブ部材２を、スリーブ支持フランジ１０に嵌め込む。これによりスリーブ部材２とスリーブ支持フランジ１０からなる換気口用スリーブ管３の組立て及び取付けが完了する。換気口用スリーブ管３を取り付けたら、断熱材６、内装ボード７及びクロス８を施工する。次に、屋内側において換気レジスタ５を取り付け、屋外側において換気ガラリ４を取り付ける。
【００２９】
なお、換気口用スリーブ管３の組立て及び取付けにおいて、スリーブ部材２をスリーブ支持フランジ１０に嵌めてから、これを外壁１に固定してもよいが、この順番で作業すると、（Ａ１）スリーブ部材２をスリーブ支持フランジ１０に嵌める、（Ａ２）外壁１に固定する、（Ａ３）スリーブ部材２の軸方向位置を調整する、というように３ステップの作業が必要となる。これに対し、上述のようにスリーブ支持フランジ１０を外壁１に固定してからスリーブ部材２を嵌めると、（Ｂ１）スリーブ支持フランジ１０を外壁１に固定する、（Ｂ２）スリーブ部材２をスリーブ支持フランジ１０に嵌めながら軸方向位置を調整する、というように２ステップの作業ですむ。
【００３０】
上述した本発明のスリーブ支持フランジ１０の第１実施形態によれば、以下の効果が得られる。
【００３１】
本発明のスリーブ支持フランジ１０は、スリーブ部材２とは別部品となっており、施工の際にスリーブ支持フランジ１０にスリーブ部材２を嵌める構成となっている。このため、断熱材６の厚さや壁ふかしに合わせて、適切な長さのスリーブ部材２を選択すればよいので、汎用性が高い。この場合、スリーブ部材２は単純に円筒形のパイプでよいので、長い円筒型パイプから切り出すことで、所望の長さのスリーブ部材２を簡単に用意できる。また、所望の長さのスリーブ部材２を選択できるので、従来のようなジョイントパイプを不要にできる。また、構成も簡単であり、安価に製作することができる。
【００３２】
スリーブ支持部１４によりスリーブ部材２がしっかりと支持され、スリーブ安定手段１６がスリーブ部材２の外周に当接してスリーブ部材２がスリーブ支持部１４に押し付けられるので、スリーブ部材２がぐらつかず、安定して支持することができる。
【００３３】
スリーブ支持部１４がない部分の円形開口１２ａの半径Ｒ２が、スリーブ支持部の内周面の半径Ｒ１よりも大きくなっているので、スリーブ部材２をスリーブ支持部１４に嵌めるときに、円形開口１２ａの周縁において半径の大きい部分（Ｒ２の部分）とスリーブ部材２の外周面とが接触しない。このため、スリーブ部材２を簡単に嵌めることができる。
【００３４】
突出片１６Ａの内周面の最小径部分を円弧とする円の半径Ｒ３が、円形開口１２ａの第１範囲Ｓ１の半径Ｒ１と同じか、それよりも小さいので、スリーブ部材２をスリーブ支持部１４に嵌めるときに、突出片１６Ａは半径方向に弾性変形しつつスリーブ部材２をスリーブ支持部１４に押し付ける。したがって、スリーブ部材２を、スリーブ支持部１４と突出片１６Ａとによって安定して支持できる。
【００３５】
また、スリーブ支持部１４により、少なくとも１８０度以上の範囲でスリーブ部材２を下部から支持できるので、より安定してスリーブ部材２を支持できる。
さらに、スリーブ支持フランジ１０にスリーブ部材２を嵌めた状態では、スリーブ部材２の外周の少なくとも下半分の範囲とスリーブ支持部１４が接触し、隙間がほとんどできないので、フランジ部１２よりも屋外側でスリーブ部材２と外壁１の貫通部の間に水が浸入してきた場合でも、フランジ部１２よりも屋内側への水の浸入を阻止できる。
【００３６】
上述した第１実施形態の図４〜図６に示した構成例では、スリーブ支持部１４と突出片１６Ａは屋内側に突出するように設けられているが、屋外側に突出するように設けられてもよい。
また、図４〜図６に示した構成例では、突出片１６Ａは１つ設けられているが、円形開口１２ａの周縁に沿って間隔をおいて複数設けるようにしてもよい。
また、図４〜図６に示した構成例では、スリーブ支持部１４はフランジ部１２の一方側にのみ突出しているが、図７に示すように、フランジ部１２の面に対して両側に突出するようにスリーブ支持部１４を構成してもよい。
【００３７】
次に、図８及び図９を参照し、本発明のスリーブ支持フランジ１０の第２実施形態を説明する。図８は第２実施形態の正面図であり、図９は第２実施形態の、スリーブ部材２を嵌めた状態の側面断面図である。
【００３８】
第２実施形態においてスリーブ安定手段１６は、円形開口１２ａの周縁から半径方向内側に突出する軟性及び弾性を有する安定弁１６Ｂである。安定弁１６Ｂは、フランジ部１２と異なる材料からなり、円形開口１２ａに取り付けられている。安定弁１６Ｂは、たとえば軟質樹脂により形成できる。
また、図９に示すように、第２実施形態においてスリーブ支持部１４は、フランジ部１２の面に対して両側に突出するように形成されている。
【００３９】
図９に示すように、スリーブ部材２をスリーブ支持フランジ１０に嵌めると、安定弁１６Ｂが弾性変形し、安定弁１６Ｂの側面がスリーブ支持部１４材の外周面に当たる状態となる。この状態では安定弁１６Ｂはその弾性力によりスリーブ部材２をスリーブ支持部１４にしっかりと押しつけるので、スリーブ部材２がぐらつかず、安定して支持することができる。
第２実施形態のその他の部分の構成、及びそれにより得られる効果は、第１実施形態と同様である。
【００４０】
なお、上記において、本発明の実施形態について説明を行ったが、上記に開示された本発明の実施の形態は、あくまで例示であって、本発明の範囲はこれら発明の実施の形態に限定されない。本発明の範囲は、特許請求の範囲の記載によって示され、さらに特許請求の範囲の記載と均等の意味および範囲内でのすべての変更を含むものである。
【符号の説明】
【００４１】
１  外壁
１ａ  貫通穴
２  スリーブ部材
３  換気口用スリーブ管
４  換気ガラリ
５  換気レジスタ
６  断熱材
７  内装ボード
８  クロス
１０  スリーブ支持フランジ
１２  フランジ部
１２ａ  円形開口
１３  貫通穴
１４  スリーブ支持部
１６  スリーブ安定手段
１６Ａ  突出片
１６Ｂ  安定弁
【図１】
2010261650.tif 000003
【図２】
2010261650.tif 000004
【図３】
2010261650.tif 000005
【図４】
2010261650.tif 000006
【図５】
2010261650.tif 000007
【図６】
2010261650.tif 000008
【図７】
2010261650.tif 000009
【図８】
2010261650.tif 000010
【図９】
2010261650.tif 000011